(57)【要約】      （修正有）【課題】小屋裏の十分な換気を可能にするとともに、強風が軒側から棟側へ吹き上がっても雨水が小屋裏に侵入するおそれのない棟用換気部材を提供する。【解決手段】棟換気部材１０を葺設すると、棟換気口から順に第２通気口、箱体の内部空間、及び第１通気口１１ｈへと通じる通気通路Ｓ１が形成され、通気通路Ｓ１で小屋裏Ｓ２の空気を桟瓦１６と野地１５の間の空間を連通される。棟換気部材１０の、棟に葺設したとき軒側となる側面に止水面を形成したので、強風が軒側から棟側へ吹き上がるとき、軒側の側面から雨水が箱体の内部に侵入するのを防止できる。また、箱体の上面に形成した第１通気口１１ｈの内部にルーバ１１ｉを設けたので、第１通気口１１ｈに侵入した雨水をルーバ１１ｉで撥ね返して箱体の内部に侵入するのを防止できる。【選択図】図１０
0003195175.tif 000002
【実用新案登録請求の範囲】
【請求項１】
上面に第１通気口を形成し、棟に葺設したとき棟側となる側面に第２通気口を形成した左右一対の扁平な箱体と、桟瓦の尻部を掛止する掛止段部が設けられるとともに、垂木を支持する支持金具の脚部が挿通される切欠部が形成され両箱体を連結する連結部材を備え、
連結部材が野地に形成した棟換気口に対向するように両箱体を野地に固定し、屋根の最上段の桟瓦の尻部を掛止段部に掛止して該桟瓦を箱体に被せ、切欠部に脚部を挿通して屋根地に立設した支持金具で垂木を支持し、垂木に冠瓦を被せて固定したとき、棟換気口から順に第２通気口、箱体の内部空間、及び第１通気口へと通じる通気通路が形成され、該通気通路で小屋裏の空気を桟瓦と野地の間の空間を連通するようにした棟用換気部材であって、
第１通気口の棟側の端部に箱体の内部へ突出するルーバを設け、
前記箱体の軒側の側面に止水面を形成し、
止水面と箱体の底面との角部に水抜き穴を形成し、
水抜き穴の棟側の端部に箱体の内部へ突出する邪魔板を設けたことを特徴とする棟用換気部材。
【請求項２】
箱体底面における水抜き穴の近辺の外面に突起を設けるとともに、葺設したとき棟に沿って延びるシーラーを水抜き穴より棟側となる箱体底面の外面に設けたことを特徴とする請求項１に記載の棟用換気部材。
【考案の詳細な説明】
【技術分野】
【０００１】
本考案は棟用換気部材に関する。
【背景技術】
【０００２】
棟用換気部材の一形式として、特許第４０５４１３０号公報には棟の屋根地に形成した棟換気口に被せて、小屋裏の空気を換気する棟用換気部材が開示されている。この換気部材は扁平な左右一対の箱体と両箱体を連結する連結部を備えている。
【０００３】
各箱体の上面には第１通気口が形成され、棟に葺設したとき棟側となる側面に第２通気口が、また、棟に葺設したとき軒側となる箱体の側面に第３通気口が形成されている。連結部には桟瓦の尻部が掛止される掛止段部が設けられるとともに、垂木を支持する支持金具の脚部が挿通される切欠部が形成されている。
【０００４】
この棟用換気部材は以下のように棟に葺設される。連結部が野地に形成した棟換気口に対向するように両箱体を野地に固定し、屋根の最上段の桟瓦の尻部を掛止段部に掛止して該桟瓦を箱体に被せる。切欠部に脚部を挿通して屋根地に立設した支持金具で垂木を支持し、垂木に冠瓦を被せて固定する。この棟換気部材によれば、棟換気口から順に第２通気口、箱体の内部空間、第１通気口及び第３通気口へと通じる通気通路が形成され、該通気通路で小屋裏の空気を桟瓦と野地の間の空間が連通されるので、この通気通路によって小屋裏の換気が行われる。
【先行技術文献】
【特許文献】
【０００５】
【特許文献１】特許第４０５４１３０号公報
【考案の概要】
【考案が解決しようとする課題】
【０００６】
上記した従来の棟換気部材では、棟に葺設したとき軒側となる箱体の側面に第３通気口が形成されている。そのため、強風が軒側から棟側へ吹き上がるとき、第３通気口から雨水が箱体の内部に侵入し、通気通路を通って小屋裏に侵入するおそれがある。
また、第１通気口からも雨水が箱体内部に侵入し易い。
【０００７】
本考案はかかる点に鑑み、小屋裏の十分な換気を可能にするとともに、強風が軒側から棟側へ吹き上がっても雨水が小屋裏に侵入するおそれのない棟用換気部材を提供することを目的とする。
【課題を解決するための手段】
【０００８】
請求項１に記載の考案は、上面に第１通気口を形成し、棟に葺設したとき棟側となる側面に第２通気口を形成した左右一対の扁平な箱体と、桟瓦の尻部を掛止する掛止段部が設けられるとともに、垂木を支持する支持金具の脚部が挿通される切欠部が形成され両箱体を連結する連結部材を備え、
連結部材が野地に形成した棟換気口に対向するように両箱体を野地に固定し、屋根の最上段の桟瓦の尻部を掛止段部に掛止して該桟瓦を箱体に被せ、切欠部に脚部を挿通して屋根地に立設した支持金具で垂木を支持し、垂木に冠瓦を被せて固定したとき、棟換気口から順に第２通気口、箱体の内部空間、及び第１通気口へと通じる通気通路が形成され、該通気通路で小屋裏の空気を桟瓦と野地の間の空間を連通するようにした棟用換気部材であって、
第１通気口の棟側の端部に箱体の内部へ突出するルーバを設け、
前記箱体の軒側の側面に止水面を形成し、
止水面と箱体の底面との角部に水抜き穴を形成し、
水抜き穴の棟側の端部に箱体の内部へ突出する邪魔板を設けたことを特徴とする。
【０００９】
請求項２に記載の考案は、請求項１に記載の棟用換気部材において、箱体底面における水抜き穴の近辺の外面に突起を設けるとともに、葺設したとき棟に沿って延びるシーラーを水抜き穴より棟側となる箱体底面の外面に設けたことを特徴とする。
【考案の効果】
【００１０】
請求項１に記載の考案によれば、棟に葺設したとき軒側となる側面に止水面を形成したので、強風が軒側から棟側へ吹き上がるとき、軒側の側面から雨水が箱体の内部に侵入するのを防止できる。また、箱体の上面に形成した第１通気口の内部にルーバを設けたので、第１通気口に侵入した雨水をルーバで撥ね返して箱体の内部に侵入するのを防止できる。
一方、箱体の内部に侵入した雨水は屋根の下降傾斜に沿って箱体の底面を伝い、水抜き穴から箱体の外部に排出される。この水抜き穴の棟側端部には邪魔板が立設されているので、水抜き穴から雨水が箱体の内部に侵入するのを邪魔板で阻止できる。
【００１１】
請求項２に記載の考案によれば、箱体を野地に固定したとき、突起によって箱体底面の外面と野地との間に隙間が出来るので、箱体内部に侵入した雨水が水抜き穴からこの隙間を通って箱体の外部に排出される。
一方、水抜き穴より棟側にシーラーを設けたので、箱体の底面と野地の隙間を通って雨水が棟喚起口から小屋裏に侵入するのをシーラーで阻止できる。
【図面の簡単な説明】
【００１２】
【図１】本考案の実施例に係る棟用換気部材を葺設した棟を示す断面図である。
【図２】同棟用換気部材の箱体を示す表面側から見た斜視図である。
【図３】同棟用換気部材の箱体を示す裏面側から見た斜視図である。
【図４】同箱体の上側フレームを示す表面側から見た斜視図である。
【図５】同箱体の上側フレームを示す裏面側から見た斜視図である。
【図６】同箱体の下側フレームを示す表面側から見た斜視図である。
【図７】同箱体の下側フレームを示す裏面側から見た斜視図である。
【図８】同棟用換気部材の連結部材を示す斜視図である。
【図９】垂木支持金具を示す斜視図である。
【図１０】同棟用換気部材を葺設した棟の通気通路を示す説明図である。
【図１１】垂木支持金具に支持された垂木を示す斜視図である。
【実施例】
【００１３】
以下に本考案を図面に基づき説明する。図１〜図３には本考案の実施例に係る棟用換気部材１０が示されている。当該棟用換気部材１０は扁平な箱型をした左右一対の箱体１１と、両箱体１１を連結する連結部材１２を備えている。
【００１４】
各箱体は上側フレーム１１ａと下側フレーム１１ｂを合体して扁平な箱型に形成されている。図２及び図４に示すように、上側フレーム１１ａは上面１１ｃ、軒側側面１１ｄ、前後両面１１ｅを備え、上面の棟側の端部は上方に折り曲げて立ち上がり片１１ｆが形成され、立ち上がり片１１ｆに連結片１１ｇが連続して形成されている。
【００１５】
上側フレーム１１ａの上面１１ｃには複数の第１通気口１１ｈが形成されている。各第１通気口１１ｈは上側フレーム１１ａの長手方向に延びている。図１及び図５に示すように、各通気口１１ｈにはルーバ１１ｉが設けられている。ルーバ１１ｉは棟用換気部材１０を第１通気口１１ｈの、棟に葺設したとき棟側となる端部から箱体１１の内部へ傾斜して突出するように設けられている。
【００１６】
図５に示すように、上側フレーム１１ａの立ち上がり片１１ｆの基端部には通気用縦フレーム１１ｊが固定されている。この通気用縦フレーム１１ｊは多数の通気穴１１ｋを有し、通気穴１１ｋは上側フレーム１１ａの長手方向に沿って配列され、蜂等の昆虫の侵入を防ぐことができるサイズに設定されている。
【００１７】
図６及び図７に示すように、下側フレーム１１ｂは底面１１ｍ、棟用換気部材１０を棟に葺設したとき軒側となる側面１１ｎ及び棟に葺設したとき棟側となる側面１１ｐを備えている。軒側の側面１１ｎの基端部に水抜き穴１１ｑが形成されている。図１に示すように、水抜き穴１１ｑの棟側の端部から箱体１１の内部へ突出するように邪魔板１１ｒが立設されている。また、図７に示すように、下側フレーム１１ｂの水抜き穴１１ｑの近辺の外面に凸条１１ｓが固着されている。そして、下側フレーム１１ｂの底面１１ｍの外面には、棟用換気部材１０を棟に葺設したとき棟に沿って延びるシーラー１１ｔと１１ｒが水抜き穴１１ｑより棟側となる部位に固着されている。
上側フレーム１１ａと下側フレーム１１ｂの構造は以上の通りであって、上側フレーム１１ａと下側フレーム１１ｂを合体して箱体１１が構成され、上側フレーム１１ａの立ち上がり片１１ｆと下側フレーム１１ｂの側面１１ｐで第２通気口１１ｕが形成されている。また、下側フレーム１１ｂの軒側の側面１１ｎに上側フレームの軒側の側面１１ｄが重ね合わされて止水面１１ｎ，１１ｄが形成されている。
【００１８】
図８に示すように、連結部材１２は山形部１２ａと、山形部１２ａの左右の端部に連続する掛止段部１２ｂ、掛止段部１２ｂに連続する接合部１２ｃから成る。連結部材１２の各接合部１２ｃを上側フレーム１１ａの連結片１１ｇにリベット等で固定することにより、左右の箱体１１が連結部材１２で連結される。この連結部材１２の山形部１２ａの一端には図９に示す垂木支持金具１３の脚部１３ｂが挿通される切欠部１２ｄが形成されている。
【００１９】
図９に示すように、垂木支持金具１３はコ字形の垂木受け部１３ａと、垂木受け部１３ａに垂設した脚部１３ｂと、脚部１３ｂから傾斜して延びる左右一対の足部１３ｃから成る。
【００２０】
棟用換気部材１０の構造は以上の通りであって、以下に施工方法を説明する。図１及び図１０に示すように、棟用換気部材１０の連結部材１２が野地１５に形成した棟換気口１４に対向するように被せて、両箱体１１を野地１５に固定し、屋根の最上段の桟瓦１６の尻部１６ａを連結部材１２の掛止段部１２ｂに掛止して該桟瓦１６を箱体１１に被せる。次に、図１，１０，１１に示すように、連結部材１２の切欠部１２ｄに支持金具１３の脚部１３ｂを挿通して野地１５に支持金具１３を立設し、この支持金具１３で垂木１７を支持し、垂木１７に冠瓦１８を被せて釘１９で固定する。
【００２１】
このように棟換気部材１０を葺設することにより、棟換気口１４から順に第２通気口１１ｕ、箱体１１の内部空間、及び第１通気口１１ｈへと通じる通気通路Ｓ１が形成され、該通気通路Ｓ１で小屋裏Ｓ２の空気を桟瓦１６と野地１５の間の空間を連通する
【００２２】
本実施例によれば、棟換気部材１０の、棟に葺設したとき軒側となる箱体１１の側面に止水面１１ｄ，１１ｎを形成したので、強風が軒側から棟側へ吹き上がるとき、軒側の側面から雨水が箱体の内部に侵入するのを防止できる。また、箱体１１の上面に形成した第１通気口１１ｈの内部にルーバ１１ｉを設けたので、第１通気口１１ｈに侵入した雨水をルーバ１１ｉで撥ね返して箱体１１の内部に侵入するのを防止できる。
一方、図１０に矢印Ｓ３で示すように、箱体１１の内部に侵入した雨水は屋根の下降傾斜に沿って箱体１１の底面１１ｍを伝い、水抜き穴１１ｑから箱体１１の外部に排出される。この水抜き穴１１ｑの棟側端部には邪魔板１１ｒが立設されているので、水抜き穴１１ｑから雨水が箱体１１の内部に侵入するのを邪魔板１１ｒで阻止できる。
【００２３】
また、箱体１１を野地１５に固定したとき、箱体１１の底面１１ｍに設けた凸条１１ｓによって箱体１１の底面１１ｍの外面と野地１５との間に隙間が出来るので、箱体１１の内部に侵入した雨水が水抜き穴１１ｑからこの隙間を通って箱体１１の外部に排出される。
一方、水抜き穴１１ｑより棟側にシーラー１１ｔを設けたので、箱体１１の底面１１ｍと野地１５の隙間を通って雨水が棟換気口１４から小屋裏Ｓ２に侵入するのをシーラー１１ｔで阻止できる。
【符号の説明】
【００２４】
１０…棟用換気部材
１１…箱体
１１ｈ…第１通気口
１１ｉ…ルーバ
１１ｄ…止水面
１１ｍ…底面
１１ｎ…止水面
１１ｑ…水抜き穴
１１ｒ…邪魔板
１１ｓ…凸条
１１ｔ…シーラー
１１ｕ…第２通気口
１２…連結部材
１２ｂ…掛止段部
１２ｄ…切欠部
１３…垂木支持金具
１３ｂ…脚部
１４…棟換気口
１５…野地
１６…桟瓦
１７…垂木
１８…冠瓦
Ｓ１…通気通路
Ｓ２…小屋裏
【図１】
0003195175.tif 000003
【図２】
0003195175.tif 000004
【図３】
0003195175.tif 000005
【図４】
0003195175.tif 000006
【図５】
0003195175.tif 000007
【図６】
0003195175.tif 000008
【図７】
0003195175.tif 000009
【図８】
0003195175.tif 000010
【図９】
0003195175.tif 000011
【図１０】
0003195175.tif 000012
【図１１】
0003195175.tif 000013